(57)【要約】【課題】  撮影モードの切り替え前に必ず測光回路の電源をオンさせ、一定時間の経過後にオフすることのできるカメラを提供する。【解決手段】  撮影モード切替機構９は、モード操作部２２が押圧操作されたときに測光回路１０３の電源スイッチ１００をオンさせ、回転操作されたときに撮影モードを切り替える。モード操作部２２の側面２２ａはテーパー状に形成されており、かつ押圧操作されていないときにはロック突起８７ｅと凹部９３ａとの係合により回転操作がロックされている。そのため、モード操作部２２を回転操作させようとすると、その前に必ず押圧操作が行なわれて電源スイッチ１００がオンされる。測光回路１０３は、タイマー回路１０４によって一定時間経過後にオフされる。【選択図】        図１１
2006098769.tif 000002
【特許請求の範囲】
【請求項１】
被写体輝度を測定する測光回路と、
この測光回路の測定結果を表示する表示手段と、
オンされることにより測光回路に給電を行なう電源スイッチと、
少なくとも第１の露出状態と、この第１の露出状態よりも露出量を多くする第２の露出状態とを備えた露出量調整手段と、
この露出量調整手段の露出状態を切り替え、かつこの露出状態の切り替えの前に行なわれる予備的操作によって前記電源スイッチをオンさせる操作手段とを設けたことを特徴とするカメラ。
【請求項２】
前記操作手段は、押圧操作と、この押圧操作の押圧方向に直交する面上で回転する回転操作とを行なうことのできる操作部材と、
この操作部材の回転操作をロックし、操作部材が押圧操作されたときにロックを解除するロック手段とを有し、
前記操作部材の押圧操作によって電源スイッチをオンさせ、回転操作によって露出量調整手段の露出状態を切り替えることを特徴とする請求項１記載のカメラ。
【請求項３】
前記操作部材に、略円板形状で、断面が略台形形状となるように側面がテーパー状に形成された操作部を設け、この操作部を用いて操作部材を回転操作する際に側面が押されて押圧操作されるようにしたことを特徴とする請求項２記載のカメラ。
【請求項４】
前記電源スイッチがオンされたことに応答して一定時間の計時を行ない、この計時を終えたときに測光回路への給電を停止させるタイマー回路を設けたことを特徴とする請求項１ないし３いずれか記載のカメラ。
【請求項５】
前記露出量調整手段として、絞りを第１の露出状態である小絞りと、第２の露出状態である大絞りとの間で切り替える絞り切替手段を用いたことを特徴とする請求項１ないし４いずれか記載のカメラ。
【請求項６】
前記露出量調整手段として、シャッタ速度を第１の露出状態である高速と、第２の露出状態である低速との間で切り替えるシャッタ速度切替手段を用いたことを特徴とする請求項１ないし５いずれか記載のカメラ。
【請求項７】
前記カメラは、製造時に写真フイルムと電池とが予め装填されるレンズ付きフイルムユニットであることを特徴とする請求項１ないし６いずれか記載のカメラ。
【発明の詳細な説明】
【技術分野】
【０００１】
本発明は、測光回路と、手動で露出量を調整する露出調整手段とを備えたカメラに関する。
【背景技術】
【０００２】
製造時に写真フイルムが予め装填されたレンズ付きフイルムユニットが各種販売されている。例えば、本出願人により販売されているレンズ付きフイルムユニット「Ｎｉｇｈｔ＆Ｄａｙ（商品名）」（例えば、特許文献１参照）は、高感度の写真フイルムを装填し、日中屋外等の明るい場所での撮影に対応する日中撮影モード（ストロボ発光せず）と、日中シンクロ撮影モード（ストロボ発光あり）と、夜景や暗い室内を背景にし、その背景を適当な濃度で再現しながら人物等の主要被写体をストロボ光で撮影する場合に対応する夜景シンクロ撮影モードの３つの撮影モードを備えている。
【０００３】
上記レンズ付きフイルムユニットの夜景シンクロ撮影モ−ドで撮影を行なうと、夜景や暗い室内等の背景を適当な濃度で再現しながら、人物等の主要被写体についてはストロボ光で十分な明るさを確保することができる。しかし、ストロボ光で照明された主要被写体の陰影がなくなったり、背景の光源色をストロボ光が打ち消してしまったりして、どの写真を見ても同じような印象の写真になってしまうという問題があった。
【０００４】
上記問題を解決するために、本出願人は、高感度な写真フイルムを装填し、かつ複数段階に露出量を切り替えることのできるモード切替機構を備えたレンズ付きフイルムユニットの発明を先行出願している（特願２００３−３２０２７１号）。
【特許文献１】特開２００４−０８５６２０号公報
【発明の開示】
【発明が解決しようとする課題】
【０００５】
しかし、レンズ付きフイルムユニットのユーザーの多くは、写真に関する専門的な知識を有しておらず、被写体の輝度から適切なモード選択を行なうことはできない。このような一般的なレンズ付きフイルムユニットユーザーが、上記先行出願記載のレンズ付きフイルムユニットを使用した場合に、室内撮影用のモードで屋外を撮影してしまい、極端な露出オーバーによる撮影ミスが発生することが考えられる。
【０００６】
上記先行出願が有する問題を解決するために、レンズ付きフイルムユニットに測光回路を設け、この測光回路の測定結果に基づいてモードを切り替えられるようにすることが考えられる。しかし、撮影を行なう際に測光回路の電源をオンさせ、モード切替機構でモードを切り替えるという二つの操作が必要になるため、できるだけ簡単な操作が求められるレンズ付きフイルムユニットには適さない。また、測光回路による被写体輝度の測定は、モードの切替操作の前に行なう必要があるが、レンズ付きフイルムユニットのユーザーでは、この操作手順が守られないことが多いと思われる。
【０００７】
更に、レンズ付きフイルムユニットは電池の交換を行なうことができない構造となっている。そのため、電池が消耗して測光回路が動作不能とならないように、使用後には測光回路の電源スイッチを必ずオフにしなければならない。
【０００８】
本発明は、上記問題点を解決するためのもので、撮影モードの切り替え前に測光回路をオンさせ、かつ一定時間の経過後に測光回路をオフさせることのできるカメラを提供することを目的とする。
【課題を解決するための手段】
【０００９】
上記課題を解決するために、本発明のカメラは、被写体輝度を測定する測光回路と、この測光回路の測定結果を表示する表示手段と、オンされることにより測光回路に給電を行なう電源スイッチと、少なくとも第１の露出状態と、この第１の露出状態よりも露出量を多くする第２の露出状態とを備えた露出量調整手段と、この露出量調整手段を第１の露出状態と第２の露出状態との間で切り替え、かつこの露出状態の切り替えの前に行なわれる予備的操作によって前記電源スイッチをオンさせる操作手段とを設けた。
【００１０】
また、操作手段を、押圧操作と、この押圧操作の押圧方向に直交する面上で回転する回転操作とを行なうことのできる操作部材と、この操作部材の回転操作をロックし、操作部材が押圧操作されたときにロックを解除するロック手段とから構成し、操作部材の押圧操作によって電源スイッチをオンさせ、回転操作によって露出量調整手段の露出状態を切り替えるようにした。
【００１１】
更に、操作部材に、略円板形状で、断面が略台形形状となるように側面がテーパー状に形成された操作部を設け、この操作部を用いて操作部材を回転操作する際にテーパー状の側面が押されて押圧操作されるようにした。
【００１２】
また、電源スイッチがオンされたことに応答して一定時間の計時を行ない、この計時を終えたときに測光回路の電源をオフするタイマー回路を設けた。
【００１３】
更に、露出量調整手段として、絞りを大絞りと小絞りとの間で切り替える絞り切替手段や、シャッタ速度を低速と高速との間で切り替えるシャッタ速度切替手段を用いた。また、これらの構成をレンズ付きフイルムユニットにも用いた。
【発明の効果】
【００１４】
本発明のカメラによれば、測光回路への給電操作と、露出量調整手段との切替操作とを一つの操作手段で兼用させたので、操作手段が増加することによる操作の煩雑さ、コストアップ等は発生しない。また、露出量調整手段で露出状態を切り替える際の予備的操作によって、測光回路の電源スイッチがオンされるようにしたので、必ず被写体輝度を確認してから露出状態の切り替えを行なうことができる。
【００１５】
さらに、操作部材が押圧操作されないと回動操作ができないようにしたので、露出調整手段の操作の前に必ず測光回路を動作させることができる。また、操作部材の操作部の形状を工夫することにより、回転操作する際に必ず押圧操作が行なわれるようにしたので、ユーザーに意識させることなく押圧操作と回転操作とを順番に行なわせることができる。更に、タイマー回路により測光回路の電源が自動的にオフされるようにしたので、電池が無駄に消耗することはない。
【発明を実施するための最良の形態】
【００１６】
本発明を実施したレンズ付きフイルムユニットの外観を図１に示す。レンズ付きフイルムユニット２は、各種撮影機構が組み込まれたユニット本体３と、このユニット本体３の製造時に装填されるフイルムパトローネと、ユニット本体３の外周に巻き付けられるようにして貼付されるラベル４とからなる。ラベル４には、ユニット本体３の各部を露呈させるための開口が形成されている。
【００１７】
ユニット本体３の構成を表す分解図を図２に示す。ユニット本体３は、１３５タイプのフイルムパトローネ７が装填される本体基部８と、撮影モードの切り替えを行う撮影モード切替機構９と、プリント基板１０及び電池１１と、本体基部８の前面側及び背面側に取り付けられる前カバー１２及び後カバー１３とからなる。撮影モード切替機構９は、露出量調整手段の露出状態を切り替える操作手段に相当する。
【００１８】
フイルムパトローネ７は、パトローネ７ａと、写真フイルム７ｂとからなり、電池１１とともに製造時に装填される。写真フイルム７ｂとしては、例えば、フイルム感度がＩＳＯ３２００のものが用いられている。
【００１９】
本体基部８の前面中央には、遮光筒１６が設けられている。この遮光筒１６の周囲には、シャッタチャージ機構，シャッタレリーズ機構，フイルム巻上げ機構，フイルム巻止機構，フイルムカウント機構，撮影光学系，ファインダ光学系等が組み込まれている。また、前述の露出量調整手段を構成する絞り切替機構と、シャッタ速度切替機構も組み込まれている。
【００２０】
ユニット本体３の前面には、撮影レンズ１９，ファインダ２０，受光部２１，モード操作部２２が設けられている。また、ユニット本体３の上面には、レリーズボタン２３，カウンタ表示窓２４が設けられ、背面には撮影後のフイルム巻き上げに用いられる巻上げノブ２５の一部が露呈されている。
【００２１】
図３に断面を示すように、受光部２１は、前カバー１２に形成された開口２８と、この開口２８を塞ぐ透明な保護板２９と、開口２８に対面して配置された受光素子３０とから構成されている。受光素子３０は、例えば、受光量に応じて抵抗値が変化するＣｄＳ等からなり、被写体輝度の測定に用いられる。この受光素子３０は、後述する測光回路を構成する。
【００２２】
図４に示すように、レンズ付きフイルムユニット２の背面に設けられたファインダ２０の接眼窓３３の近傍には、被写体輝度の測定結果を示す表示手段であるインジケーター３４が設けられている。図５に断面を示すように、インジケーター３４は、後カバー１３に形成された開口３５と、この開口３５を塞ぐ透明な保護板３６と、開口３５に対面して配置されたＬＥＤ３７とから構成されている。ＬＥＤ３７は、測光回路に接続されており、被写体輝度が設定値より低いときに発光され、高い時には消灯される。
【００２３】
モード操作部２２は、略円板形状であり、前カバー１２に形成された操作開口４０から前方に突出されている。このモード操作部２２は、前述の撮影モード切替機構９を構成する。図６（Ａ）に拡大して示すように、モード操作部２２は、断面が略台形形状となるように側面２２ａがテーパー状に形成されており、この側面２２ａには操作時の滑り止めのために多数の細かな溝が形成されている。モード操作部２２の前面にはその回動位置を示す指標２２ｂが設けられている。また、前カバー１２の前面で操作開口４０の周囲には、モード操作部２２の回動目標をとなる指標４１ａ，４１ｂが設けられている。
【００２４】
指標４１ａは、太陽を表すマークであり、この指標４１ａに指標２２ｂを合せるようにモード操作部２２を回動させると、レンズ付きフイルムユニット２は日中屋外での撮影に適した日中撮影モードに切り換えられる。また、図６（Ｂ）に示すように、指標４１ｂは、月を表すマークであり、の指標２２ｂをこの指標４１ｂに合せると屋内や暗い場所での撮影に適した夜間撮影モードに切り換えられる。
【００２５】
日中撮影モードは、露出量調整手段が小絞り及び高速シャッタとなる第１の露出状態に相当する。また、夜間撮影モードは、露出量調整手段が大絞り及び低速シャッタとなる第２の露出状態に相当する。なお、例えば夜間撮影モードのときにファインダ２０内に何らかの表示を行ない、撮影者がファインダ２０を覗いた状態で撮影モードを判別できるようにしてもよい。
【００２６】
図７は、遮光筒１６の周囲に組み込まれたシャッタレリーズ機構，絞り切替え機構，シャッタ速度切替え機構，撮影光学系の構成を示す分解斜視図である。遮光筒１６の前面には、矩形状の露光開口４４が形成されている。遮光筒１６の側方には、シャッタ羽根４５を揺動自在に支持するピン４６と、バネ４７の一端が掛けられるピン４８とが設けられている。
【００２７】
シャッタ機構を構成するシャッタ羽根４５は、ピン４６に挿通される穴５１ａが形成されたベース部５１と、露光開口４４の前方に配置されて該露光開口４４の開閉を行なう羽根部５２と、ベース部５１と羽根部５２とを接続する連結部５３とからなる。ベース部５１には、バネ４７の他端が掛けられるピン５１ｂと、シャッタ駆動レバー５４によって蹴飛ばされる突出部５１ｃと、速度調節突起５１ｄとが設けられている。シャッタ羽根４５は、バネ４７に付勢されて露光開口４４を塞ぐ閉じ位置に保持されている。
【００２８】
シャッタ駆動レバー５４は、シャッタ機構を構成する部品の一つであり、シャッタチャージ機構によって図中矢線Ａと逆方向に回動し、チャージ位置にセットされる。そして、レリーズボタン２３の押圧操作に応答して、チャージ解除位置に向けて矢線Ａ方向に回動し、その際にシャッタ羽根４５の突出部５１ｃを蹴飛ばす。シャッタ駆動レバー５４に蹴飛ばされたシャッタ羽根４５は、バネ４７の付勢に抗して図中矢線Ｂ方向に回動し、露光開口４４を全開した後に、バネ４７の付勢によって閉じ位置に復帰する。シャッタ羽根４５は、露光開口４４を全開させる全開させ、レンズホルダ５６の内面に設けられたストッパーピン５６ａ（図８参照）に当接する移動端位置に達するまで回動可能にされている。
【００２９】
レンズホルダ５６の上部には、ストップレバー５９を回動自在に支持するピン６０が形成されている。ストップレバー５９は、ピン６０に支持されるボス６１と、このボス６１の側面から突出された２本のアーム６２，６３とからなり、一方のアーム６２の先端にパッド６２ａが形成されている。
【００３０】
このストップレバー５９は、パッド６２ａがシャッタ羽根４５の速度調節突起５１ｄの移動軌跡内に入り込んだ高速シャッタ位置と、パッド６２ａがその移動軌跡から退避した低速シャッタ位置との間で回動される。
【００３１】
図８（Ａ）に示すように、ストップレバー５９が高速シャッタ位置にあるときにシャッタレリーズが行われると、シャッタ羽根４５の速度調節突起５１ｄがパッド６２ａに当接するので、シャッタ羽根４５は移動端位置への移動途中で回動が阻止される。これにより、短時間でシャッタ羽根４５が閉じ位置に復帰する。このときのシャッタ速度は、例えば、１／１００秒とされており、これが日中撮影モードの高速シャッタのシャッタ速度となる。
【００３２】
上記とは逆に、図８（Ｂ）に示すように、ストップレバー５９が低速シャッタ位置にあるときには、速度調節突起５１ｄがパッド６２ａに当接しないで回動する。このため、シャッタ羽根４５は、移動端位置まで回動する。その結果、シャッタ羽根４５が閉じ位置に復帰するまでの時間が長くなって、シャッタ速度が遅くなる。このときのシャッタ速度は、例えば、１／４５秒とされており、これが夜間撮影モードの低速シャッタのシャッタ速度となる。
【００３３】
図７に示されるように、遮光筒１６の前方には、レンズホルダ５６が取り付けられる。レンズホルダ５６の前面中央には、筒形状の鏡筒６６が形成されている。鏡筒６６内には、開口６７が形成されており、鏡筒６６の側面には切欠６８が形成されている。鏡筒６６内には、撮影レンズ１９を構成する第１レンズ７０と第２レンズ７１とが収納される。これら第１レンズ７０と第２レンズ７１との間には、大絞り板７２，絞り切替板７３の挿入スペースを確保するスペーサー７４が収められる。レンズホルダ５６の前面には、鏡筒６６に収められた撮影レンズ１９等の部品と、鏡筒６６の外周に取り付けられた切替リング７５とが外れないように押さえるレンズ押さえ板７６が取り付けられる。
【００３４】
大絞り板７２，絞り切替板７３，スペーサー７４，切替リング７５等により、絞り切替機構が構成される。大絞り板７２は、円形の薄板からなり、中央に大径の大絞り開口７２ａが形成されている。大絞り開口７２ａは、夜間撮影モードの大絞りとなるものであって、絞り値が、例えば、Ｆ４．０となるようにその径が決められている。
【００３５】
絞り切替板７３は、略Ｌ字形状の薄板からなり、一端に大絞り開口７２ａを塞ぐ大きさの小絞り部７３ａが設けられ、この小絞り部７３ａに小径の小絞り開口７３ｂが形成されている。小絞り開口７３ｂは、日中撮影モードの小絞りであり、絞り値が、例えば、Ｆ１８となるようにその径が決められている。絞り切替板７３の他端には、穴７３ｃと屈曲された長穴７３ｄとが形成されている。穴７３ｃは、レンズホルダ５６の鏡筒６６の近傍に形成されたピン７８に挿通され、絞り切替板７３を揺動自在とする。
【００３６】
上記の絞り切替板７３は、小絞り部７３ａを撮影光軸上に配置する小絞り位置と、小絞り部７３ａを切欠６８から鏡筒６６の外に退避させ、大絞り開口７２ａを露呈させる大絞り位置との間で回動される。小絞り位置では、撮影光は、大絞り開口７２ａと小絞り開口７３ｂとを通過するようになり、結果的には径の小さい小絞り開口７３ｂによって光量が制限される。
【００３７】
鏡筒６６の外周には、切替リング７５が回動自在に嵌入される。切替リング７５には、バネ８１の一端が掛けられるバネ掛けピン７５ａと、絞り切替板７３の長穴７３ｄに挿入されるリンクピン７５ｂと、ストップレバー５９のアーム６３を間に挟み込む一対の挟持ピン７５ｃと、背面側に突出した従動ピン７５ｄとが設けられている。
【００３８】
バネ８１の他端は、レンズホルダ５６の前面下部に形成されたピン８４に掛けられ、切替リング７５を図中矢線Ｃ方向に付勢する。なお、バネ８１によって付勢された切替リング７５は、絞り切替板７３によって所定の位置に保持される。
【００３９】
撮影モード切替機構９は、モード操作部２２の回転操作に連動して同軸で回転する切替レバー８８ｃを備えている。図９（Ａ）に、日中撮影モードのときの切替リング７５の状態を示す。モード操作部２２が日中撮影モードの位置にあるときには、切替レバー８８ｃは切替リング７５の従動ピン７５ｄに接触しない。そのため、切替リング７５は、バネ８１と絞り切替板７３によって初期位置に保持されている。
【００４０】
切替リング７５が初期位置にある際には、リンクピン７５ｂによって絞り切替板７３の小絞り部７３ａが鏡筒６６内に挿入される。これにより、小絞り部７３ａが大絞り開口７２ａを塞いで小絞り状態となる。また、一対の挟持ピン７５ｃは、ストップレバー５９を高速シャッタ位置に保持している。
【００４１】
図９（Ｂ）に示すように、モード操作部２２が日中撮影モードから夜間撮影モードの位置へと回動されると、バネ８１の付勢に抗して切替レバー８８ｃが従動ピン７５ｄを下方から押圧して切替リング７５を図中反時計方向に回動させる。この切替リング７５の回動により、リンクピン７５ｂに押圧された絞り切替板７３が図中時計方向に回動し、小絞り部７３ａが光軸上から退避して大絞り状態となる。また、一対の挟持ピン７５ｃはストップレバー５９を低速シャッタ位置にセットする。
【００４２】
図１０及び図１１（Ａ）に示すように、撮影モード切替え機構９は、モード操作部２２が一体に設けられた操作部材８７と、この操作部材８７に連結される切替部材８８と、操作部材８７と切替部材８８との間に挿入されて操作部材８７を前方に付勢するバネ８９とから構成されている。操作部材８７には、前カバー１２の内壁面１２ａに当接するフランジ８７ａと、切替部材８８に嵌合される矩形の嵌合片８７ｂを後端に備えた駆動軸８７ｃとが一体に設けられている。フランジ８７ａには、放射方向に突設された突設部８７ｄが一体に設けられており、この突設部８７ｄには前方に向かって突出された半円球状のロック突起８７ｅが一体に形成されている。
【００４３】
前カバー１２の内壁面１２ａには、操作部材８７が日中撮影モードと夜間撮影モードとにセットされたときに、突設部８７ｄに当接して回転を阻止する停止ピン９２ａ，９２ｂが設けられている。また、各停止ピン９２ａ，９２ｂの近傍には、操作部材８７が日中撮影モードと夜間撮影モードとにセットされたときにロック突起８７ｅが係合される凹部９３ａ，９３ｂが形成されている。操作部材８７は、バネ８９の付勢によってロック突起８７ｅが凹部９３ａまたは９３ｂに係合されているため常態では回転操作を行なうことができない。これらロック突起８７ｅと凹部９３ａ，９３ｂとバネ８９とは、操作部材８７の回転操作をロックするロック手段として機能する。
【００４４】
操作部材８７を回転操作するには、モード操作部２２をユニット本体３内に押し込む押圧操作を行ない、ロック突起８７ｅと凹部９３ａまたは９３ｂとの係合を解除しなければならない。操作部材８７のモード操作部２２には大きなテーパー状の側面２２ａが形成されているため、モード操作部２２を指でつまんで回転操作しようとすると、側面２２ａの傾斜によってモード操作部２２が押圧される。これにより、回転操作を行なうためにモード操作部２２をつまむという予備的操作によって、モード操作部２２の押圧操作が必ず行なわれることになる。これにより、ユーザーに意識させることなく回転操作の前に押圧操作を行なわせることができるので、操作が増えることによる煩雑感は発生しない。
【００４５】
切替部材８８は略円板形状であり、前面には、操作部材８７の嵌合片８７ｂが嵌合される矩形の凹部８８ａが先端に形成された従動軸８８ｂと、水平方向に突出された切替レバー８８ｃとが一体に形成されている。この切替部材８８の背面には支持軸８８ｄが一体に形成されており、この支持軸８８ｄはプリント基板１０の前方に配置されるように本体基部８に取り付けられるガイド板９６（図２参照）の凹部９６ａに挿入され、回転自在に支持される。
【００４６】
操作部材８７の駆動軸８７ｃの後端と、切替部材８８の従動軸８８ｂの先端との間、及び嵌合片８７ｂの先端と凹部８８ａの底面との間には、それぞれ隙間が形成されている。これらの隙間は、図１１（Ｂ）に示すように、モード操作部２２の押圧操作時の移動代を確保するために設けられている。
【００４７】
上述したように、切替部材８８に設けられた切替レバー８８ｃは、日中撮影モードから夜間撮影モードに切り替えられたときに、切替リング７５の従動ピン７５ｄを下方から押圧する。これにより、切替リング７５は、バネ８１の付勢に抗して矢線Ｃ方向と逆方向に回動される。
【００４８】
操作部材８７のフランジ８７ａの背後には、プリント基板１０に取り付けられた一対の金属接片９９ａ，９９ｂの先端部分が配置されている。これらの金属接片９９ａ，９９ｂは、プリント基板１０に設けられた測光回路の電源スイッチ１００を構成する。操作部材８７は、モード操作部２２を回転操作する際に必ず押圧操作されるため、フランジ８７ａが一方の金属接片９９ａの先端を押圧して他端の金属接片９９ｂの先端に接触させる。これにより、電源スイッチ１００がオンして測光回路に給電が行なわれる。
【００４９】
図２に示すプリント基板１０には、前述の受光素子３０，ＬＥＤ３７，電源スイッチ１００とともに、多数の電気部品が取り付けられて回路が形成されている。図１２は、プリント基板１０の構成を示すブロック図である。プリント基板１０には、測光回路１０３と、タイマー回路１０４とが設けられている。測光回路１０３は、例えば、受光素子３０と、この受光素子３０の出力信号を増幅する増幅部１０５と、この増幅された信号から被写体輝度のレベルを判定し、予め設定された値よりも低輝度時にはＬＥＤ３７発光させる判定部１０６とから構成されている。
【００５０】
タイマー回路１０４は、例えば、コンデンサと抵抗とを組み合わせたＣＲタイマーであり、電源スイッチ１００がオンした際にコンデンサに電荷を蓄え、この蓄えた電荷によって測光回路１０３に測光を行なわせる。コンデンサ内の電荷が全て使用されると、測光回路１０３の電源がオフするため、電池１１が無駄に消費されることはない。
【００５１】
次に、上記実施形態の作用について説明する。ユーザーは撮影を行なう際に被写体の輝度を目視によって確認し、レンズ付きフイルムユニット２の撮影モードを切り替えるためにモード操作部２２を指でつまむ。モード操作部２２は、側面２２ａがテーパー状に形成され、更に、図１０及び図１１（Ａ）に示すように、ロック突起８７ｅと凹部９３ａとの係合により回転操作がロックされているため、ユーザーが意識しなくても回転操作の前に必ず押圧操作が行なわれる。図１１（Ｂ）に示すように、モード操作部２２が押圧操作されると、ロック突起８７ｅが凹部９３ａから外れ、かつフランジ８７ａによって電源スイッチ１００の金属接片９９ａが押圧される。金属接片９９ａは弾性変形して他方の金属接片９９ｂに接触し、電源スイッチ１００がオン状態となる。
【００５２】
図１２に示すように、電源スイッチ１００がオン状態になると、タイマー回路１０４に電池１１から給電が行なわれる。タイマー回路１０４は、電源スイッチ１００がオンしている間にＣＲタイマーを構成するコンデンサに電荷を充電し、このコンデンサから測光回路１０３に給電を行なう。
【００５３】
図３に示すように、受光素子３０は、保護板２９を通して被写体光を受光し、その受光量に応じた電流値の検出信号を増幅部１０５に入力する。増幅部１０５は、入力された検出信号を増幅して判定部１０６に入力する。判定部１０６は、入力された信号から被写体輝度を判定し、その被写体輝度が予め設定された値よりも低い場合には、図４及び図５に示すインジケーター３４のＬＥＤ３７を点灯させ、夜間撮影モードに適した撮影環境であることをユーザーに知らせる。タイマー回路１０４のコンデンサの電荷が全て使用されると測光回路１０３への給電が停止されるため、電池１１が無駄に消耗することはない。
【００５４】
インジケーター３４の表示を確認したユーザーは、モード操作部２２を押圧操作したまま回転操作し、図２中において時計方向に回転させて指標２２ｂを指標４１ｂに合わせる。モード操作部２２の回転操作により、操作部材８７に連結された切替部材８８が一緒に回転し、切替レバー８８ｃが従動ピン７５ｄを下方から押圧して、図９（Ｂ）に示すように、切替リング７５を反時計方向に回転させる。この切替リング７５の回動に連動して絞り切替板７３が大絞り位置に回動し、小絞り部７３ａが撮影レンズ１９の光路上から退避し、大絞り開口７２ａによって光量の規制が行われるようになる。また、ストップレバー５９は、低速シャッタ位置にセットされる。
【００５５】
この夜間撮影モードでレリーズボタン２３を押圧して撮影を行うと、図８（Ｂ）に示すように、ストップレバー５９が低速シャッタ位置にあるため、シャッタ羽根４５は、パッド６２ａに当接することなく回動し、移動端位置に達した後に閉じ位置に復帰する。また、このようにシャッタ羽根４５の開閉動作が行われている間に、撮影レンズ１９に入射した被写体からの光は、小絞り開口７３ｂを通らずに大絞り開口７２ａを通して写真フイルムに露光を与える。
【００５６】
夜間撮影モードでは、フイルム感度ＩＳＯ３２００の写真フイルム７ｂに１／４５秒のシャッタ速度と絞り値Ｆ４．０とで露光が行われるため、露光量の増加により被写体輝度に適した良好な撮影を行なうことができる。また、ストロボを使用しないので、室内の照明等のアベイラブル光を活かした撮影ができ、例えば背景と主要被写体との明るさや色合いに一体感がある写真画像を得ることができる。更に、ストロボ光を使用しないことにより、赤目が発生しない、ストロボ光による濃い影が生じない等の効果もある。
【００５７】
また、上記とは逆に被写体輝度が高い場合には、測光回路１０３はインジケーター３４を発光させないでユーザーに日中撮影モードに適した撮影環境であることを知らせる。図９（Ａ）に示すように、モード操作部２２を夜間撮影モードから日中撮影モードへと回転させると、切替レバー８８ｃによる押圧が解除された切替リング７５は、バネ８１の付勢によって初期位置に回動する。切替リング７５が初期位置となることにより、絞り切替板７３が小絞り位置にセットされるとともに、ストップレバー５９が高速シャッタ位置にセットされる。
【００５８】
この日中撮影モードでレリーズボタン２３を押圧すると、これに応答してシャッタ羽根４５が閉じ位置から開き位置に向けて回動し、再び閉じ位置に戻る開閉動作が行われ、露光開口４４の開閉が行われる。このときに、シャッタ羽根４５は、その速度調節突起５１ｄがパッド６２ａに当接し、移動端位置に達する前に閉じ位置に復帰する。これにより、夜間撮影モードよりも速い１／１００秒のシャッタ速度で露光が行われる。
【００５９】
上記のようにシャッタ羽根４５の開閉動作が行われている間に、撮影レンズ１９に入射した被写体からの光は、小絞り開口７３ｂ，大絞り開口７２ａを通して写真フイルム７ｂに露光を与えるが、この場合には絞り値Ｆ１８の小絞り開口７３ｂで光量が規制される。これにより、高い被写体輝度に適した良好な撮影を行なうことができる。
【００６０】
なお、上記実施形態では、日中撮影モードと夜間撮影モードとを備えるレンズ付きフイルムユニットを例に説明したが、多数の撮影モードを有するレンズ付きフイルムユニットにも用いることができる。また、レンズ付きフイルムユニットを例に説明したが、写真フイルムの交換が可能なカメラにも適用することができる。
【図面の簡単な説明】
【００６１】
【図１】本発明を実施したレンズ付きフイルムユニットの外観形状を示す斜視図である。
【図２】ユニット本体の構成を示す分解斜視図である。
【図３】受光部の構成を示す断面図である。
【図４】インジケーターの外観形状を示す斜視図である。
【図５】インジケーターの構成を示す断面図である。
【図６】モード操作部の２か所の操作位置を示す説明図である。
【図７】シャッタレリーズ機構、絞り切替機構、シャッタ速度切替機構等の構成を示す分解斜視図である。
【図８】シャッタ速度切替機構の動作を示す正面図である。
【図９】絞り切替機構の動作を示す正面図である。
【図１０】撮影モード切替機構の構成を示す分解斜視図である。
【図１１】撮影モード切替機構の動作を示す断面図である。
【図１２】プリント基板に設けられた回路の構成を示すブロック図である。
【符号の説明】
【００６２】
２  レンズ付きフイルムユニット
９  撮影モード切替機構
１０  プリント基板
１１  電池
２１  受光部
２２  モード操作部
２２ａ  側面
３０  受光素子
３４  インジケーター
３７  ＬＥＤ
４５  シャッタ羽根
５９  ストップレバー
７２  大絞り板
７３  絞り切替板
７５  切替リング
８７  操作部材
８８  切替部材
８７ｅ  ロック突起
８９  バネ
９３ａ，９３ｂ  凹部
１００  電源スイッチ
１０３  測光回路
１０４  タイマー回路
【図１】
2006098769.tif 000003
【図２】
2006098769.tif 000004
【図３】
2006098769.tif 000005
【図４】
2006098769.tif 000006
【図５】
2006098769.tif 000007
【図６】
2006098769.tif 000008
【図７】
2006098769.tif 000009
【図８】
2006098769.tif 000010
【図９】
2006098769.tif 000011
【図１０】
2006098769.tif 000012
【図１１】
2006098769.tif 000013
【図１２】
2006098769.tif 000014